(57)【要約】  【課題】ワイヤレスハンズフリー機器側において、電話をかけてきた相手に簡便に着信リダイヤル操作できる、使い勝手に良いハンズフリー通話装置を提供する。  【解決手段】電話機１と無線リンクされたワイヤレスハンズフリー機器２は、電話機１に着信があったときに着信番号を記憶するメモリ部３と、メモリ部３に記憶された着信番号に電話機１を介して発信するブルートゥース通信部４と、ブルートゥース通信部４を起動させる着信リダイヤル操作ボタン５と、着信番号又はリダイヤル発信番号を表示する表示画面部６とを備える。メモリ部３には、以前電話のあった着信番号が記憶され、着信履歴機能を有す。  【選択図】  図１
2006311143.tif 000002
【特許請求の範囲】
【請求項１】
電話機と無線リンクされたワイヤレスハンズフリー機器を有するハンズフリー通話装置であって、前記ワイヤレスハンズフリー機器は、前記電話機に着信があったときに着信番号を記憶するメモリ部と、該メモリ部に記憶された着信番号に前記電話機を介して発信する発信部と、該発信部を起動させるリダイヤル操作部とを具備することを特徴とするリダイヤル機能付きハンズフリー通話装置。
【請求項２】
上記ワイヤレスハンズフリー機器には、上記着信番号を表示する表示画面部が設けられていることを特徴とする請求項１記載のリダイヤル機能付きハンズフリー通話装置。
【請求項３】
上記ワイヤレスハンズフリー機器のメモリ部には、以前かかってきた着信番号が全て記憶されて、該全ての着信番号が検索できるように構成されていることを特徴とする請求項１又は２記載のリダイヤル機能付きハンズフリー通話装置。
【請求項４】
上記電話機が車載用電話機であることを特徴とする請求項１，２又は３記載のリダイヤル機能付きハンズフリー通話装置。
【請求項５】
上記ワイヤレスハンズフリー機器は、複数の使用者の電話機と無線リンクされていることを特徴とする請求項１，２，３又は４記載のリダイヤル機能付きハンズフリー通話装置。
【発明の詳細な説明】
【技術分野】
【０００１】
本発明はハンズフリー通話装置に関するものであり、特に、電話機と近距離で無線リンクされた機器を備えたリダイヤル機能付きハンズフリー通話装置に関するものである。
【背景技術】
【０００２】
従来、一般のハンズフリー通話装置における携帯電話向けハンズフリー型無線（主にブルートゥース）機器は、一度発信した相手に、ボタン操作で再度電話をかけることができるリダイヤル機能を備えている。これは、相手が話し中であった場合に、再度電話番号を打ち込む必要がないので、極めて便利な機能である（例えば、特許文献１）。
【特許文献１】特開２００１−３０９００８号
【発明の開示】
【発明が解決しようとする課題】
【０００３】
従来のハンズフリー通話装置では、ハンズフリー型無線機器（ワイヤレスハンズフリー機器ともいう）がリダイヤル機能を有しないので、逆に、相手から電話がかかってきた際に、使用者が忙しくて電話に応対できなかった場合、例えば車両運転中や打合せ中などの場合に、ワイヤレスハンズフリー機器側から改めて相手に電話をかけ直すことはできない。
【０００４】
即ち、ワイヤレスハンズフリー機器に無線リンクされている携帯電話機は、着信履歴機能を有するために、それを利用すれば改めて相手に電話をかけ直すことができる。しかし、ワイヤレスハンズフリー機器自体は着信履歴機能を有しないために、改めて相手に電話をかけ直すことができず、使い勝手が良くないという問題があった。
【０００５】
そこで、使用者が一時的に電話に出られなかった場合でも、後で相手にワイヤレスハンズフリー機器側で発信番号を指定して簡単に電話をかけ直すことができるようにするために解決すべき技術的課題が生じてくるのであり、本発明は該課題を解決することを目的とする。
【課題を解決するための手段】
【０００６】
本発明は上記目的を達成するために提案されたものであり、請求項１記載の発明は、電話機と無線リンクされたワイヤレスハンズフリー機器を有するハンズフリー通話装置であって、前記ワイヤレスハンズフリー機器は、前記電話機に着信があったときに着信番号を記憶するメモリ部と、該メモリ部に記憶された着信番号に前記電話機を介して発信する発信部と、該発信部を起動させるリダイヤル操作部とを具備するリダイヤル機能付きハンズフリー通話装置を提供する。
【０００７】
この構成によれば、相手から使用者の電話機に着信があると、相手先の着信番号がメモリ部に記憶される。そして、使用者が電話に出られなかったとき、後で改めて相手に電話をかけ直す際は、リダイヤル操作部により発信部（例えばブルートゥース通信部）を起動させればよい。すると、発信部は、メモリ部に記憶された着信番号に電話機を介して発信する。
【０００８】
請求項２記載の発明は、上記ワイヤレスハンズフリー機器には、上記着信番号を表示する表示画面部が設けられている請求項１記載のリダイヤル機能付きハンズフリー通話装置を提供する。
【０００９】
この構成によれば、ワイヤレスハンズフリー機器の表示画面部には、電話をかけてきた相手の着信番号（又は発信時の電話番号）が表示される。
【００１０】
請求項３記載の発明は、上記ワイヤレスハンズフリー機器のメモリ部には、以前かかってきた着信番号が全て記憶されて、該全ての着信番号が検索できるように構成されている請求項１又は２記載のリダイヤル機能付きハンズフリー通話装置を提供する。
【００１１】
この構成によれば、単数又は複数の異なる相手から複数の電話着信があった場合、全ての着信番号がメモリ部に記憶保存される。このメモリ部に記憶保存された全ての着信番号は、表示画面部により表示して検索される。尚、保存後に消去した着信番号は無論表示されない。
【００１２】
請求項４記載の発明は、上記電話機が車載用電話機である請求項１，２又は３記載のリダイヤル機能付きハンズフリー通話装置を提供する。
【００１３】
この構成によれば、車両走行中に車載用電話機に電話がかかってきた場合、道路の混雑状況や周囲の騒音状況など応じて、改めて都合のいい時に、例えば、静かな場所に車両を移動してワイヤレスハンズフリー機器側で電話のかけ直しを行える。
【００１４】
請求項５記載の発明は、上記ワイヤレスハンズフリー機器は、複数の使用者の電話機と無線リンクされている請求項１，２，３又は４記載のリダイヤル機能付きハンズフリー通話装置を提供する。
【００１５】
この構成によれば、ワイヤレスハンズフリー機器は、複数の電話機と無線リンクされているので、複数の使用者が１台のワイヤレスハンズフリー機器を共用して着信リダイヤル機能を使える。
【発明の効果】
【００１６】
請求項１記載の発明は、使用者が電話に出られなかった場合、ワイヤレスハンズフリー機器側のリダイヤル操作部により、電話機に着信があった電話番号で改めて電話をかけ直すことができるので、そのつど、電話機側で相手の電話番号を打ち込む必要がなく、ハンズフリー通話装置の利便性が著しく向上する。
【００１７】
請求項２記載の発明は、相手の着信番号又は発信番号が表示画面部に表示されるので、請求項１記載の効果に加えて、使用者はワイヤレスハンズフリー機器側の表示画面部において、電話をかけてきた相手が誰であるかを確認したうえで、受話すべきか後で再度電話をすべきかを即座に判断できる。又、着信リダイヤル操作の際は発信番号を容易に確認できる。
【００１８】
請求項３記載の発明は、メモリ部に記憶された全ての着信番号が、表示画面部により表示して・検索されるので、請求項１又は２記載の効果に加えて、使用者は、メモリ部に記憶された複数の着信番号から、優先的にかけ直すべき着信番号を適宜判断選択して、リダイヤル発信をワイヤレスハンズフリー機器側で即座に行える。
【００１９】
又、ワイヤレスハンズフリー機器自体が着信履歴機能を有するので、例えば、複数の者が使用した場合、ハンズフリー通話装置を使用した者が誰であるかが判るだけでなく、個人の私用又は会社の公用のいずれで通話使用したかも知ることができる。
【００２０】
請求項４記載の発明は、走行中のリダイヤル発信を容易に行えると共に、道路状況等に応じて、車両を静かな場所などに移動して電話をかけ直すことができるので、請求項１，
２又は３記載の効果に加えて、混雑した車両走行中のハンズフリー通話を避けて、一層の安全運転が可能になるだけでなく、使用者は自動車に載ったまま、静かな環境下でゆっくりハンズフリー通話できる。
【００２１】
請求項５記載の発明は、複数の使用者が１台のワイヤレスハンズフリー機器で着信リダイヤルを行えるので、請求項１，２，３又は４記載の効果に加えて、個々の使用者がワイヤレスハンズフリー機器を別々に用意する必要がなく、大きなコストダウン効果が期待できる。
【発明を実施するための最良の形態】
【００２２】
本発明は、電話機と無線リンクされたワイヤレスハンズフリー機器を有するハンズフリー通話装置であって、ワイヤレスハンズフリー機器は、電話機に着信があったときに着信番号を記憶するメモリ部と、メモリ部に記憶された着信番号に前記電話機を介して発信する発信部と、発信部を起動させるリダイヤル操作部と、着信番号を表示する表示画面部とを備え、メモリ部には、以前かかってきた着信番号が全て記憶保存されるとともに、全ての着信番号が表示画面部にて表示されることにより、一時的に受話できずに後で相手にリダイヤル発信する場合に、ワイヤレスハンズフリー機器側において簡便なボタン操作で発信できるという目的を達成した。
【実施例】
【００２３】
以下、本発明の一実施の形態を図１乃至図３に従って説明する。複数の電話機１と近距離無線通信可能なワイヤレスハンズフリー機器２は、電話機１に着信があったときに相手Ｐの着信番号を記憶するメモリ部３と、該メモリ部３に記憶された着信番号に電話機１を介して発信するブルートゥース通信部（発信部）４と、ブルートゥース通信部４を起動させるリダイヤル操作ボタン（着信番号リダイヤル操作部）５と、着信時及びリダイヤル発信時に相手Ｐの電話番号を表示する表示画面部６とを備える。
【００２４】
メモリ部３には、以前かかってきた複数の相手Ｐの着信番号が全て記憶され、該着信番号は履歴検索可能であって、表示画面部６にて個別表示又は一覧表示される。これにより、利用者Ｕが一時的に受話できずに、後で相手Ｐに電話をかけ直す場合に、リダイヤル操作部５で簡便に発信でき、電話機１側での電話番号の入力操作を不要にする。
【００２５】
ワイヤレスハンズフリー機器２としては、電話機向け無線（実施例ではブルートゥース）ヘッドセットもしくはハンズフリー型無線機器が用いられる。ワイヤレスハンズフリー機器２は、電話機１を介して電話をかける通常の発信機能だけでなく、簡単なタッチ操作で電話をかけ直すことができる新規な着信番号リダイヤル機能を有する。
【００２６】
図１は、ワイヤレスハンズフリー機器２を用いた発信リダイヤルシステムの構成例を示す。ワイヤレスハンズフリー機器２は、ブルートゥース対応型電話機１と無線リンクにて通信可能に接続され、電話機１とワイヤレスハンズフリー機器２によりハンズフリー通話装置１０が構成される。
【００２７】
尚、電話機１としては、ワイヤレスハンズフリー機器２と近距離で無線リンクされたものであれば、固定電話機はもとより、車載用携帯電話機も適用可能である。例えば、自動車運転中のハンドフリー通話を補助するブルートゥース車載機器が用いられている。
【００２８】
ワイヤレスハンズフリー機器２には発信リダイヤル機能が搭載されていると共に、相手Ｐから電話着信があったときに、相手Ｐの電話番号を記憶する内部メモリ３が内蔵されている。電話着信は処理部１１により判断され、着信音の発生と同時に、着信番号がメモリ３に自動的に記憶保存される（図２参照）。また、ワイヤレスハンズフリー機器２の表面
には、内部メモリ部３に記憶された電話番号に発信するための専用の着信リダイヤル操作ボタン５あるいは操作キーが設けられている。尚、８は受話ボタン、９は終話ボタンである。
【００２９】
更に、ワイヤレスハンズフリー機器２の表面には、電話をかけてきた相手Ｐの電話番号を表示するためのＬＣＤ等の表示画面部６が設けられている。この表示画面部６により、利用者Ｕは着信があったときに、相手Ｐが誰であるかを容易に確認できる。また、電話をかけてきた相手Ｐに、利用者Ｕが電話をかけ直すときにも、発信番号が表示画面部６に表示される。さらに、利用者Ｕが着信履歴を確認したいときは、機能キー（図示省略）を押すことで、以前に着信された電話番号が表示画面部６に表示される。
【００３０】
次に、ワイヤレスハンズフリー機器２を用いた着信リダイヤル機能の操作手順について説明する。図３は、着信リダイヤル機能の操作手順を示すフローチャートである。最初、利用者Ｕの前記電話機１は、相手Ｐからの電話着信を持ち受ける状態にあり、先ず、ステップＳ１では、電話機１に実際に着信があったか否かを処理部１１で判断する。
【００３１】
いま、電話機１に電話がかかってきて、着信音が発生すると同時に、処理部１１で「着信あり」と判断され、ステップＳ２において、相手Ｐの電話機７の番号が、ワイヤレスハンズフリー機器２の内部のメモリ部３に自動的に記憶保存される。この着信時には、相手Ｐの電話番号が表示画面部７に表示されるために、利用者Ｕは受話する前に、相手Ｐが誰であるかを知ることができる。
【００３２】
このとき、利用者Ｕが一時的に受話できない場合、例えば、自動車運転中または会議中のために電話に出られないときは、あとで改めて相手Ｐに電話をかけ直せばよい。電話をかけ直す際、利用者Ｕは着信リダイヤル操作ボタン５を押せばよい。すると、ステップＳ３において、着信リダイヤル操作ボタン５がオンされたことが判断され、ステップＳ４において、メモリ部３に記憶された電話番号に自動的にリダイヤル発信される。この発信時においても、発信番号が表示画面部６に表示される。そして、相手Ｐが受話することで、利用者Ｕはハンズフリーで通話できる。
【００３３】
なお、相手Ｐから電話着信があれば、ステップＳ２で「着信あり」と判断されるが、利用者Ｕが受話しなかった場合、後で改めて電話をかけ直さない限り、ステップＳ３で「着信リダイヤル操作ボタンのオン操作」が判断されないので、最初の着信待ち受け状態に戻る。また、最新の保存記憶済みの電話番号で発信するときは、着信リダイヤル操作ボタン５を押せばよい。このリダイヤル発信操作は、着信判定の結果如何によらず随時実行できる。
【００３４】
以上述べた如く、相手Ｐから利用者Ｕの電話機１に着信があると、相手Ｐの着信番号が内部メモリ部３に記憶される。そして、利用者Ｕが都合により電話に応対できず、改めて電話をかけ直す際は、着信リダイヤル操作ボタン５によりブルートゥース通信部４を起動させることによって、電話機１を介して、内部メモリ部３に記憶された相手Ｐの電話番号で発信される。
【００３５】
斯くして、例えば、利用者Ｕが電話に出られなかった場合、着信リダイヤル操作ボタン５により、ワイヤレスハンズフリー機器２側で改めて相手Ｐにかけ直すことができるので、そのつど相手Ｐの電話番号を電話機１で打ち込む必要がなく、ハンズフリー通話装置の使用利便性が著しく向上する。
【００３６】
また、ワイヤレスハンズフリー機器２の表示画面部６には、電話をかけてきた相手Ｐの着信番号が表示されることにより、利用者Ｕは、電話をかけてきた相手Ｐが誰であるかを
容易に確認できる。このため、相手Ｐを確認したうえで、電話にすぐ応対すべきか、あるいは、後で電話をかけ直せばよいかを即座に判断することができる。
【００３７】
さらに、複数の相手Ｐから電話着信された場合でも、全ての着信番号がメモリ部３に記憶され、これら着信番号は、ワイヤレスハンズフリー機器２の表示画面部６により表示検索される。従って、利用者Ｕは、表示画面部６に表示された複数の着信番号から、優先的にかけ直すべき着信番号を選択して、リダイヤルすべき順序を決定することができる。
【００３８】
殊に、電話機１が車載用電話機である場合、自動車の運転中に着信があったときは、交通状況など応じて、混雑道路上での電話応対を回避し、あとで静粛な場所に移動して、車中で着信番号リダイヤルを行える。
【００３９】
また、ワイヤレスハンズフリー機器２を複数の電話機１と無線接続した場合、複数の利用者Ｕは、１台のワイヤレスハンズフリー機器２で着信リダイヤル操作を行える。
【００４０】
さらに、メモリ部３に記憶された着信履歴データは検索可能であるので、ハンズフリー通話装置１０を使用した者が誰であるかを後で特定できる。特に、ハンズフリー通話装置１０を搭載した自動車が会社所有の場合、各使用者Ｕがハンズフリー通話装置１０を個人的な用件で使ったのか、あるいは会社職務上の用件で使ったのかを容易に知ることができる。
【００４１】
しかも、ワイヤレスハンズフリー機器２のメモリ部３に保存されている着信履歴データは、ワイヤレスハンズフリー機器２を利用者ＵのパソコンにＵＳＢケーブル等で繋いでコピーすることにより、パソコンに着信履歴データを取り込んで保存・利用することも可能であり、自宅で着信番号を保存登録管理して使用できる。また、パソコンに保存してある電話番号をワイヤレスハンズフリー機器２に事前登録することもでき、ワイヤレスハンズフリー機器２の使用利便性が著しく向上する。
【００４２】
尚、本発明は、本発明の精神を逸脱しない限り種々の改変を為すことができ、そして、本発明が該改変されたものに及ぶことは当然である。
【図面の簡単な説明】
【００４３】
【図１】本発明の一実施の形態を示し、ハンズフリー通話装置を使用した全体のシステム構成例を示す説明図。
【図２】一実施の形態に係るワイヤレスハンズフリー機器の構成例を示すブロック図。
【図３】一実施の形態に係るハンズフリー通話装置による着信リダイヤルの操作手順を説明するフローチャート。
【符号の説明】
【００４４】
１    電話機
２    ワイヤレスハンズフリー機器
３    メモリ部
４    ブルートゥース通信部（発信部）
５    着信リダイヤル操作ボタン（着信番号リダイヤル操作部）
６    表示画面部
７    電話機
８    受話ボタン
９    終話ボタン
１０  ハンズフリー通話装置
１１  処理部
Ｕ    利用者
Ｐ    相手
【図１】
2006311143.tif 000003
【図２】
2006311143.tif 000004
【図３】
2006311143.tif 000005